(57)【要約】【課題】携帯機器の形状を薄くすることが可能なスライド機構を提供する。【解決手段】第１の筐体１および第２の筐体２のいずれか一方の筐体に設けられた凸部１１と、他方の筐体に設けられ凸部１１をスライド可能に収納する凹部１２と、この凹部１２と凸部１１とをスライド可能に係合するレール１３と、第１の筐体１および第２の筐体２を互いに離間する方向に付勢する伸縮可能な付勢手段１５と、を備える。これにより、凹部１２内をレール１３に係合して凸部１１がスライド動作する。具体的には、凸部１１は、一方の筐体１の左右に一体成形されており、凹部１２は、他方の筐体２の左右に成形されている。また、レール１３は、凸部１１を貫通して凹部１２に固定される第１のレール（１３１）と、凸部１１の側面に形成した溝に係合して凹部１２に固定される第２のレール（１３２）とからなる。【選択図】図２
2008269002.tif 000002
【特許請求の範囲】
【請求項１】
第１の筐体および第２の筐体のいずれか一方の筐体に設けられた凸部と、
他方の筐体に設けられ前記凸部をスライド可能に収納する凹部と、
この凹部と前記凸部とをスライド可能に係合するレールと、
前記第１の筐体および第２の筐体を互いに離間する方向に付勢する伸縮可能な付勢手段と、を備え、
前記凹部内を前記レールに係合して前記凸部がスライド動作することを特徴とする携帯機器のスライド機構。
【請求項２】
前記凸部は、前記一方の筐体の左右に一体成形されていることを特徴とする請求項１に記載の携帯機器のスライド機構。
【請求項３】
前記凹部は、前記他方の筐体の左右に一体成形されていることを特徴とする請求項１または２に記載の携帯機器のスライド機構。
【請求項４】
前記レールは、
前記凸部を貫通して前記凹部に固定される第１のレールと、
前記凸部の側面に形成した溝に係合して前記凹部に固定される第２のレールとからなることを特徴とする請求項１から３のいずれか一項に記載の携帯機器のスライド機構。
【請求項５】
前記凹部の端部から外部に前記レールが抜けるのを止めるレール抜け止めを更に備え、
このレール抜け止めは、前記他方の筐体の端部に対し凹凸嵌合して取り付けられていることを特徴とする請求項１から４のいずれか一項に記載の携帯機器のスライド機構。
【請求項６】
前記付勢手段は、前記一方の筐体に一端部で回動可能に取り付けられるとともに、前記他方の筐体に他端部で回動可能に取り付けられていることを特徴とする請求項１から５のいずれか一項に記載の携帯機器のスライド機構。
【発明の詳細な説明】
【技術分野】
【０００１】
本発明は、携帯機器のスライド機構に関する。
【背景技術】
【０００２】
従来、アシストタイプのスライド式の携帯機器の形状は、第１の筐体と第２の筐体の間にアシスト機構を挟み込むように構成されるものであった。
そして、特許文献１において、携帯電話などの電子機器の第１の筐体および第２の筐体のいずれか一方の筐体に取り付けられるベース部材と、そのベース部材にスライド可能に係合され他方の筐体に取り付けられたスライダーと、ベース部材とスライダーとを互いに離間する方向に付勢する伸縮可能な付勢手段とを備えたスライド機構が知られている。
【特許文献１】特開２００６−８１１０７号公報
【発明の開示】
【発明が解決しようとする課題】
【０００３】
しかしながら、従来のアシストタイプのスライド式の携帯機器は、第１の筐体と第２の筐体の間にアシスト機構を挟み込むように構成されるので、形状が厚くなり薄型化が困難である。また、ケースの固定に約１０箇所のネジ止めを要する。
また、特許文献１のスライド機構は、一方の筐体に取り付けられるベース部材と、そのベース部材にスライド可能に係合され他方の筐体に取り付けられたスライダーとを備えているので、携帯電話などの電子機器の形状を薄くすることが困難である。
【０００４】
本発明の課題は、携帯機器の形状を薄くすることが可能なスライド機構を提供することである。
【課題を解決するための手段】
【０００５】
以上の課題を解決するため、請求項１に記載の発明の携帯機器のスライド機構は、第１の筐体および第２の筐体のいずれか一方の筐体に設けられた凸部と、他方の筐体に設けられ前記凸部をスライド可能に収納する凹部と、この凹部と前記凸部とをスライド可能に係合するレールと、前記第１の筐体および第２の筐体を互いに離間する方向に付勢する伸縮可能な付勢手段と、を備え、前記凹部内を前記レールに係合して前記凸部がスライド動作することを特徴とする。
【０００６】
請求項２に記載の発明は、請求項１に記載の携帯機器のスライド機構において、前記凸部は、前記一方の筐体の左右に一体成形されていることを特徴とする。
【０００７】
請求項３に記載の発明は、請求項１または２に記載の携帯機器のスライド機構において、前記凹部は、前記他方の筐体の左右に一体成形されていることを特徴とする。
【０００８】
請求項４に記載の発明は、請求項１から３のいずれか一項に記載の携帯機器のスライド機構において、前記レールは、前記凸部を貫通して前記凹部に固定される第１のレールと、前記凸部の側面に形成した溝に係合して前記凹部に固定される第２のレールとからなることを特徴とする。
【０００９】
請求項５に記載の発明は、請求項１から４のいずれか一項に記載の携帯機器のスライド機構において、前記凹部の端部から外部に前記レールが抜けるのを止めるレール抜け止めを更に備え、このレール抜け止めは、前記他方の筐体の端部に対し凹凸嵌合して取り付けられていることを特徴とする。
【００１０】
請求項６に記載の発明は、請求項１から５のいずれか一項に記載の携帯機器のスライド機構において、前記付勢手段は、前記一方の筐体に一端部で回動可能に取り付けられるとともに、前記他方の筐体に他端部で回動可能に取り付けられていることを特徴とする。
【発明の効果】
【００１１】
本発明によれば、携帯機器の形状を薄くすることができる。
【発明を実施するための最良の形態】
【００１２】
以下、図を参照して本発明を実施するための最良の形態を詳細に説明する。
図１から図３は本発明を適用した携帯端末の一実施形態の構成を示すもので、１は第１の筐体、２は第２の筐体、３はテンキー操作部、４は十字キーおよび機能キー操作部、５は表示画面、６は電気回路ユニット、７は液晶表示ユニット、８は電気回路ユニット、１１は凸部、１２は凹部、１３はレール、１４はレール抜け止め、１５はスライドアシスト部材（付勢手段）、１６は凹所である。
【００１３】
図示のように、第１の筐体１の上に第２の筐体２が重ねられて、第１の筐体１にテンキー操作部３が設けられ、第２の筐体２に十字キーおよび機能キー操作部４および表示画面５が設けられている。第１の筐体１に電気回路ユニット６が内蔵され、第２の筐体２に液晶表示ユニット７および電気回路ユニット８が内蔵されている。
【００１４】
そして、第１の筐体１の上面に左右一対の凸部１１が設けられ、第２の筐体２の下面に左右一対の凹部１２が設けられている。この凹部１２に、凸部１１が二本のレール１３に係合してスライド動作する。また、凹部１２の端部にレール抜け止め１４が設けられている。さらに、左右一対の凸部１１および凹部１２の間において、第１の筐体１と第２の筐体２との間にスライドアシスト部材（付勢手段）１５が凹所１６に収容配置されている。
【００１５】
すなわち、図４以降に拡大して示すように、第１の筐体１は下ケース１ａおよび上ケース１ｂにより構成されており、その上ケース１ｂの上面に左右一対の凸部１１が一体成形されている。この凸部１１は、図６に示すように、断面角形である程度の長さを有するもので、上ケース１ｂの左右両側部寄りに位置している。図示例では、凸部１１に長手方向の貫通孔１１ａが形成されるとともに、凸部１１の内側側面に長手方向に沿って側面溝１１ｂが形成されている。
【００１６】
そして、第２の筐体２も下ケース２ａおよび上ケース２ｂにより構成されており、その下ケース２ａの下面に左右一対の凹部１２が一体成形されている。この凹部１２は、図７に示すように、断面角形の溝状で前記凸部１１より十分に長いもので、下ケース２ｂの左右両側部寄りに位置している。図示例では、凹部１２の内側側面に長手方向に沿って側面溝１２ｂが形成されている。
【００１７】
以上の凹部１２に凸部１１を挿入し、凹部１２に一端部の挿入孔から二本のレール１３を差し込んで、凸部１１の貫通孔１１ａに第１のレール１３１を挿入して、その先端を凹部１２の他端部まで差し込む。また、凸部１１の側面溝１１ｂと凹部１２の側面溝１２ｂとの間に第２のレール１３２を挿入して、同様に、その先端を凹部１２の他端部まで差し込む。その後、凹部１２の一端部の挿入孔から外側の端部に、レール抜け止め１４を凹凸嵌合により取り付ける。
【００１８】
さらに、第２の筐体２の下ケース２ａの下面には、左右の凹部１２の間にわたる凹所１６が一体成形されている。この凹所１６にスライドアシスト部材（付勢手段）１５が収容されている。すなわち、付勢手段であるスライドアシスト部材１５は、シリンダ１５ａと、このシリンダ１５ａに一部が収容された互いに対向する方向に突出する一対のロッド１５ｂと、シリンダ１５ａ内において、一対のロッド１５ｂを突出方向に各々付勢する図略した一対の圧縮コイルスプリングとからなる。その一対の圧縮コイルスプリングの付勢により、スライドアシスト部材１５は、シリンダ１５ａに対し互いに対向する方向に突出する一対のロッド１５ｂが伸縮可能となっている。
【００１９】
以上のスライドアシスト部材１５の一方のロッド１５ｂの突出端に設けたピン１５ｃを、凹所１６の一側部に形成した穴１６ｃに挿入して、他方のロッド１５ｂの突出端のピン１５ｃを、第１の筐体１の上ケース１ｂの他側部に形成した穴１ｃに挿入する。これにより、第２の筐体２の下ケース２ａ下面の凹所１６にスライドアシスト部材１５を収容する。
【００２０】
こうして、第２の筐体２の下ケース２ａ下面の凹所１６にスライドアシスト部材１５を収容するとともに、凹所１６の左右の凹部１２に凸部１１を挿入して第１の筐体１を組み立てた後、凹部１２に一端部の挿入孔から二本のレール１３を差し込む。そして、凹部１２の一端部の挿入孔から外側の端部に、レール抜け止め１４を凹凸嵌合により取り付けて組み立てを終える。
【００２１】
ここで、スライドアシスト部材１５は、図１（ａ）に示すように、第１の筐体１上に第２の筐体２を重ねて揃えた状態において、両筐体１・２に対し斜めの状態に保持されるが、図１（ｂ）に示すように、第２の筐体２をスライドさせて第１の筐体１のテンキー操作部３を露出した状態において、両筐体１・２に対し前記とは交差する方向の斜めの状態に保持される。
【００２２】
そして、両筐体１・２のスライド操作量は、第１の筐体１の凸部１１が第２の筐体２の凹部１２の端部に突き当たることで制限される。従って、凸部１１と凹部１２は、両筐体１・２のスライド操作時の動作量を制限するストッパ（固定部材）としても機能する。
【００２３】
次に作用を説明する。
まず、図１（ａ）に示すように、第１の筐体１上に第２の筐体２を重ねて揃えた状態において、第２の筐体２を手で図示上側にスライド操作する。このとき、スライドアシスト部材１５は両筐体１・２に対し斜めの状態に保持されていることから、その圧縮コイルスプリングの付勢力に打ち勝つ力で第２の筐体２をスライド操作する。これにより、第２の筐体２の左右一対の凹部１２内の各二本のレール１３に沿って、第１の筐体１の左右一対の凸部１１が貫通孔１１ａおよび側面溝１１ｂ・１２ｂで係合しながら夫々スライド動作する。
【００２４】
その過程で、スライドアシスト部材１５は両筐体１・２と直交する方向を経て前記とは交差する方向の斜めの状態に変化し、圧縮コイルスプリングの付勢力によって、図１（ｂ）に示すように、第２の筐体２を自動的にスライドさせて第１の筐体１のテンキー操作部３を露出した状態に変化する。このとき、スライド動作量は、凸部１１が凹部１２の一端部に突き当たることで規制される。従って、表示画面５を備える第２の筐体２の十字キーおよび機能キー操作部４に加えて、第２の筐体２の図示下側に露出した第１の筐体１のテンキー操作部３も使用可能状態となる。
【００２５】
また逆に、図１（ｂ）に示すテンキー操作部３が露出した状態から、第２の筐体２を手で図示下側にスライド操作する。このときも、スライドアシスト部材１５は両筐体１・２に対し斜めの状態に保持されていることから、その圧縮コイルスプリングの付勢力に打ち勝つ力で第２の筐体２をスライド操作する。これにより、前述と同様に、第２の筐体２の左右一対の凹部１２内の各二本のレール１３に沿って、第１の筐体１の左右一対の凸部１１が貫通孔１１ａおよび側面溝１１ｂ・１２ｂで係合しながら夫々スライド動作する。
【００２６】
従って、その過程で、前述と同様に、スライドアシスト部材１５は両筐体１・２と直交する方向を経て前記とは交差する方向の斜めの状態に変化し、圧縮コイルスプリングの付勢力によって、図１（ａ）に示すように、第２の筐体２を自動的にスライドさせてテンキー操作部３を覆って第１の筐体１上に重なって揃った状態に復帰する。このときも、スライド動作量は、凸部１１が凹部１２の他端部に突き当たることで規制される。
【００２７】
以上のように、実施形態によれば、携帯端末の第１の筐体１と第２の筐体２とをスライドさせることが可能なスライド機構であって、第２の筐体２に一体成形した左右一対の凹部１２に差し込んだ円筒形状の二本のレール１３（第１のレール１３１および第２のレール１３２）に沿って第１の筐体１に一体成形した左右一対の凸部１１がスライド動作するもので、従来のアシスト機構が不要なため、携帯端末の形状を薄くすることができる。
【００２８】
そして、以上のスライド機構により、ネジ止めをすることなく第１の筐体１と第２の筐体２とをスライド可能に係合することができる。また、その組み立てが容易である。従って、組立工数を少なくして、コストを削減できる。
【００２９】
なお、以上の実施形態においては、携帯端末としたが、本発明はこれに限定されるものではなく、ＰＤＡやその他の携帯機器であっても良い。
また、実施形態では、第１の筐体に凸部を設けて、第２の筐体に凹部を設けたが、逆に、第１の筐体に凹部を設けて、第２の筐体に凸部を設けても良い。
さらに、凸部や凹部の形状等も任意であり、その他、具体的な細部構造等についても適宜に変更可能であることは勿論である。
【図面の簡単な説明】
【００３０】
【図１】本発明を適用した携帯端末の一実施形態の構成を示すもので、第１の筐体上に第２の筐体を重ねて揃えた状態の斜視図（ａ）と、第２の筐体をスライドさせて第１の筐体を露出した状態の斜視図（ｂ）である。
【図２】図１（ｂ）の携帯端末の正面図（ａ）と、その矢印Ａ−Ａ線に沿った断面図（ｂ）と、同じく矢印Ｂ−Ｂ線に沿った断面図（ｃ）である。
【図３】図１（ｂ）の携帯端末の背面側からレール部分を示した斜視図である。
【図４】図２（ｂ）の拡大図である。
【図５】図２（ｃ）の拡大図である。
【図６】図３の筐体及びスライド機構の部品構成を示すもので、斜め上方から見た分解斜視図である。
【図７】図３の部品構成を上下逆にして示した分解斜視図である。
【符号の説明】
【００３１】
１…第１の筐体、１ａ…下ケース、１ｂ…上ケース、１ｃ…穴、２…第２の筐体、２ａ…下ケース、２ｂ…上ケース、３…テンキー操作部、４…十字キーおよび機能キー操作部、５…表示画面、６…電気回路ユニット、７…液晶表示ユニット、８…電気回路ユニット、１１…凸部、１１ａ…貫通孔、１１ｂ…側面溝、１２…凹部、１２ｂ…側面溝、１３…レール、１３１…第１のレール、１３２…第２のレール、１４…レール抜け止め、１５…スライドアシスト部材（付勢手段）、１５ａ…シリンダ、１５ｂ…ロッド、１５ｃ…ピン、１６…凹所、１６ｃ…穴
【図１】
2008269002.tif 000003
【図２】
2008269002.tif 000004
【図３】
2008269002.tif 000005
【図４】
2008269002.tif 000006
【図５】
2008269002.tif 000007
【図６】
2008269002.tif 000008
【図７】
2008269002.tif 000009